(57)【要約】【課題】外部接続用電極端子の面積を大きくし接続強度を向上することができるとともに、安定した発振周波数を出力することができる圧電発振器を提供することを課題とする。【解決手段】一方の主面に凹部空間を有する容器体と、前記凹部空間内に搭載される圧電振動素子と集積回路素子と、前記凹部空間を気密封止する蓋体とを備える圧電発振器であって、前記容器体の他方の主面と前記容器体の長辺側側面に外部接続用電極端子が形成されていることを特徴とするものである。【選択図】図１
2008219094.tif 000002
【特許請求の範囲】
【請求項１】
一方の主面に凹部空間を有する容器体と、
前記凹部空間内に搭載される圧電振動素子と集積回路素子と、
前記凹部空間を気密封止する蓋体とを備える圧電発振器であって、
前記容器体の他方の主面と前記容器体の長辺側側面に外部接続用電極端子が形成されていることを特徴とする圧電発振器。
【請求項２】
前記容器体の他方の主面の両端に形成されている外部接続用電極端子は、グランド端子と電源電圧端子であり、容器体の長辺側側面に形成されている外部接続用電極端子は、発振制御端子と発振出力端子であることを特徴とする請求項１記載の圧電発振器。
【発明の詳細な説明】
【技術分野】
【０００１】
本発明は、電子機器等に用いられる圧電発振器に関する。
【背景技術】
【０００２】
図４は、従来の圧電発振器を示す分解斜視図である。図４に示すように従来の圧電発振器２００は、凹部空間２０５を有する容器体２０１と圧電振動素子２０２と集積回路素子２０３と蓋体２０４とから主に構成されている。
容器体２０１は、セラミック材料等から成る概略直方体からなり、一方の主面に開口する凹部空間２０５が形成され、前記凹部空間内には前記凹部空間内底面より高い位置に搭載部２０６が形成されている。
圧電振動素子２０２は、前記搭載部２０６に形成された圧電振動素子搭載パッド上に搭載されている。
集積回路素子２０３は、前記容器体２０１の凹部空間内底面に形成された集積回路素子搭載パッド上に搭載されている。
蓋体２０４は、前記容器体２０１の凹部空間上に載置し、前記容器体２０１の側壁頂部と固着することにより、凹部空間内を気密封止される。
このような圧電発振器２００において、前記容器体２０１の他方の主面の４隅には、外部接続用電極端子である電源電圧端子、グランド端子、発振出力端子、発振制御端子が形成されている構造が知られている（例えば、特許文献１を参照）。
【０００３】
【特許文献１】特開２００２―１１１４３５号公報（第５−６頁、図２）
【発明の開示】
【発明が解決しようとする課題】
【０００４】
しかしながら、従来の圧電発振器２００では小型化されると、容器体２０１の他方の主面に形成された外部接続用電極端子の面積が小さくなるため、接続面積が小さくなる。そのため、小さな接続面積では、落下等の衝撃に耐えられる接続強度を保てなくなるおそれがある。
マザーボード等の外部配線基板に搭載する際に、接続強度が低下してしまうという課題があった。
【０００５】
また、電源電圧端子を含む外部接続用電極端子の接続強度が低下することにより、容器体２０１に搭載されている集積回路素子２０３の駆動が不安定になってしまい、安定した発振周波数を出力することができないといった課題もあった。
【０００６】
本発明は前記課題に鑑みてなされたものであり、外部接続用電極端子の面積を大きくし接続強度を向上することができるとともに、安定した発振周波数を出力することができる圧電発振器を提供することを課題とする。
【課題を解決するための手段】
【０００７】
本発明は前記課題を解決するために成されたものであり、一方の主面に凹部空間を有する容器体と、凹部空間内に搭載される圧電振動素子と集積回路素子と、凹部空間を気密封止する蓋体とを備える圧電発振器であって、容器体の他方の主面と容器体の長辺側側面に外部接続用電極端子が形成されていることを特徴とするものである。
【０００８】
また、前記容器体の他方の主面に形成されている外部接続用電極端子は、グランド端子と電源電圧端子であり、容器体の長辺側側面に形成されている外部接続用電極端子は、発振制御端子と発振出力端子であることを特徴とするものである。
【発明の効果】
【０００９】
本発明の圧電発振器によれば、容器体の他方の主面の両端と容器体の長辺側側面に外部接続用電極端子を形成することによって、容器体の他方の主面に形成された外部接続用電極端子の接続面積を大きくすることができるので、マザーボード等の外部配線基板への接続強度を向上させることが可能となる。
【００１０】
また、容器体の他方の主面の両端に形成されている外部接続用電極端子は、グランド端子と電源電圧端子であり、容器体の長辺側側面に形成されている外部接続用電極端子は、発振制御端子と発振出力端子であることによって、電源電圧端子の接続面積を大きくすることができるので、容器体に搭載されている集積回路素子の駆動が安定し、安定した発振周波数を出力することが可能となる。
また、電源電圧端子の近傍にグランド端子が形成されていることによって、雑音が重畳しないので集積回路素子の駆動が更に安定し、安定した発振周波数を出力することが可能となる。
【発明を実施するための最良の形態】
【００１１】
以下、本発明における圧電発振器の実施形態に関する詳細な説明を、各図を参照して行う。
図１は本発明における圧電発振器の一実施形態を示した分解斜視図である。図２は圧電発振器の一実施形態を示した概略断面図である。図３は、本発明における圧電発振器の外部接続用電極端子形成側から見た平面図である。
また、各図では、同じ符号は同じ部品を示し、又説明を明りょうにするため構造体の一部を図示していない。更に図示した寸法も一部誇張して示している。
【００１２】
図１〜図３に示すように、圧電発振器１００は、内部に搭載する圧電振動素子２０に用いられる材料として、圧電材の１つである水晶素板を用いたものを示しており、主面形状が矩形の容器体１０に、容器体１０の一方の主面に開口部を有する形態で形成された凹部空間１１内に、その圧電振動素子２０と、圧電振動素子２０と電気的に接続した発振回路および周波数調整用回路等の電子回路網を内蔵した集積回路素子３０を搭載し、蓋体５０によって圧電振動素子２０及び集積回路素子３０が搭載された凹部空間１１を気密封止した構造である。
【００１３】
圧電振動素子２０は、水晶素板に励振用電極２１を被着形成したものであり、外部からの交番電圧が励振用電極２１を介して水晶素板に印加されると、所定の振動モード及び周波数で励振を起こすようになっている。
水晶素板は、人工水晶体から所定のカットアングルで切断し外形加工を施された概略平板状で平面形状が例えば四角形となっている。
励振用電極２１は、前記水晶素板の表裏両主面に被着・形成したものである。
このような圧電振動素子２０は、その両主面に被着されている励振用電極２１と凹部空間１１内の搭載部１６の上面に形成されている圧電振動素子搭載パッド１５とを、導電性接着剤４０を介して電気的且つ機械的に接続することによって凹部空間１１の段差部１６に搭載される。
【００１４】
導電性接着剤４０は、シリコーン樹脂の中に導電性フィラーが含有されているものであり、導電性粉末としては、アルミニウム（Ａｌ）、モリブデン（Ｍｏ）、タングステン（Ｗ）、白金（Ｐｔ）、パラジウム（Ｐｄ）、銀（Ａｇ）、チタン（Ｔｉ）、ニッケル（Ｎｉ）、ニッケル鉄（ＮｉＦｅ）、またはこれらの組み合わせを含むものが用いられている。
【００１５】
また、集積回路素子３０は、回路形成面に圧電振動素子２０からの発振出力を生成する発振回路等が設けられており、該発振回路で生成された出力信号は外部接続用電極端子１３を介して圧電発振器外へ出力され、例えば、クロック信号等の基準信号として利用される。また集積回路素子３０は、容器体１０の凹部空間１１内に形成された集積回路素子搭載パッド１４に搭載されている。
【００１６】
容器体１０は、例えば、アルミナセラミックス、ガラス−セラミック等のセラミック材料から成る絶縁層を複数積層することよって形成されており、容器体１０の一方の主面には、中央域に開口する矩形状の凹部空間１１が形成されている。また、凹部空間１１を囲繞する容器体１０の側壁部の開口側頂面の全周には、環状の封止用導体パターン１２が形成されている。凹部空間１１内には、凹部空間１１の底面より高い位置に形成される搭載部１６と、前記搭載部に形成される圧電振動素子搭載パッド１５と、前記凹部空間１１の底面に設けられる集積回路素子搭載パッド１２を備えている。更に、容器体１０の他方の主面の両端には外部接続用電極端子１３の電源電圧端子１３ａとグランド端子１３ｂが形成されている。また、容器体１０の長辺側側面には、発振制御端子１３ｃ、発振出力端子１３ｄが形成されている。
【００１７】
尚、容器体１０は、アルミナセラミックスから成る場合、所定のセラミック材料粉末に適当な有機溶剤等を添加・混合して得たセラミックグリーンシートの表面に封止用導体パターン１２、外部接続用電極端子１３、集積回路素子搭載パッド１４、圧電振動素子搭載パッド１５等となる導体ペーストを、また、セラミックグリーンシートに打ち抜き等を施して予め穿設しておいた貫通孔内にビア導体となる導体ペーストを従来周知のスクリーン印刷によって塗布するとともに、これを複数枚積層してプレス成形した後、高温で焼成することにより製作される。
【００１８】
また、容器体１０の側壁部の頂面に形成された封止用導体パターン１２は、例えば、タングステン（Ｗ）、モリブデン（Ｍｏ）等から成る基層の表面にニッケル（Ｎｉ）層及び金（Ａｕ）層を順次、容器体１０の環状に囲繞する形態で被着させることによって１０μｍ〜２５μｍの厚みに形成されており、その封止用導体パターン１２は、後述する蓋体５０を、蓋体５０に形成された封止部材５１を介して、容器体１０の側壁部の頂面に接合させるためのものであり、かかる封止用導体パターン１２を前記したように、Ｗ若しくはＭｏから成る基層の表面にＮｉ層及びＡｕ層を順次被着させた構成となしておくことにより、封止用導体パターン１２に対する封止部材５１の濡れ性を良好とし、圧電発振器の気密信頼性及び生産性を向上させる。
【００１９】
前記搭載部１６は、凹部空間１１の底面よりも高い位置に形成され、前記搭載部には、圧電振動素子搭載パッド１５が被着形成されている。この圧電振動素子搭載パッド１５は、圧電振動素子２０の励振用電極２１と接続されている。
また、圧電振動素子搭載パッド１５は、容器体１０の内部の配線導体やビアホール導体等及び凹部空間内底面に形成された集積回路素子接続用電極パッド１４を介して、集積回路素子３０に電気的に接続される。
【００２０】
前記集積回路素子搭載パッド１４は、容器体１０の凹部空間内底面に形成されている。
また、集積回路素子搭載パッド１４は、集積回路素子３０に形成されている接続パッドが電気的且つ機械的に接続され、容器体１０内部に形成されている配線導体やビアホール導体等を介して外部接続用電極端子１３のうちの発振出力端子１３ａ、発振制御端子１３ｃ、電源電圧端子１３ｄに電気的に接続される。
【００２１】
このように本発明の実施形態に係る圧電発振器を構成したことにより、容器体１０の他方の主面に形成された外部接続用電極端子１３の接続面積を大きくすることができるので、マザーボード等の外部配線基板への接続強度を向上させることが可能となる。o
【００２２】
また、前記容器体１０の他方の主面の両端に形成されている外部接続用電極端子１３は、電源電圧端子１３ａとグランド端子１３ｂであり、容器体１０の長辺側側面に形成されている外部接続用電極端子１３は、発振制御端子１３ｃと発振出力端子１３ｄであることによって、電源電圧端子１３ａの接続面積を大きくすることができるので、容器体１０に搭載されている集積回路素子３０の駆動が安定し、安定した発振周波数を出力することが可能となる。更に、電源電圧端子１３ａの近傍にグランド端子１３ｂを形成することによって、電源電圧端子１３ａに雑音が重畳しないので集積回路素子３０の駆動が更に安定し、安定した発振周波数を出力することが可能となる。
【００２３】
また蓋体５０は従来周知の金属加工法を採用し、４２アロイ等の金属を所定形状に成形することによって製作され、前記蓋体５０の上面には、ニッケル（Ｎｉ）層が形成され、更にニッケル（Ｎｉ）層の上面の封止用導体パターン１２に対応する箇所に封止部材５１である金錫（Ａｕ−Ｓｎ）層が形成される。金錫（Ａｕ−Ｓｎ）層の厚みは、１０μｍ〜４０μｍである。例えば、成分比率が、金が８０％、錫が２０％のものが使用されている。また、このような封止部材５１は、封止用導体パターン１２の凹凸を緩和し、気密性の低下を防ぐことが可能となる。また、封止部材５１が薄すぎると当該機能を充分に発揮しない。
【００２４】
尚、本発明は前記実施形態に限定されるものではなく、本発明の要旨を逸脱しない範囲において種々の変更、改良等が可能である。例えば、前記した実施形態においては、圧電振動素子を構成する圧電素材として水晶を用いた圧電発振器を説明したが、圧電素材としては、ニオブ酸リチウム、タンタル酸リチウムまたは、圧電セラミックスを用いたものでも構わない。
【図面の簡単な説明】
【００２５】
【図１】本発明における圧電発振器の一例である水晶発振器の一実施形態を示す分解斜視図である。
【図２】本発明における圧電発振器の一例である水晶発振器の一実施形態を示す断面図である。
【図３】本発明における圧電発振器の一例である水晶発振器を外部接続用電極端子形成側から見た平面図である。
【図４】従来の圧電発振器の一例である水晶発振器を示す分解斜視図である。
【符号の説明】
【００２６】
１０・・・容器体
１１・・・凹部空間
１２・・・封止用導体パターン
１３・・・外部接続用電極端子
１３ａ・・・電源電圧端子
１３ｂ・・・グランド端子
１３ｃ・・・発振制御端子
１３ｄ・・・発振出力端子
１４・・・集積回路素子搭載パッド
１５・・・圧電振動素子搭載パッド
１６・・・搭載部
２０・・・圧電振動素子（水晶振動素子）
２１・・・励振用電極
３０・・・集積回路素子
４０・・・導電性接着剤
５０・・・蓋体
５１・・・封止部材
１００・・・圧電発振器
【図１】
2008219094.tif 000003
【図２】
2008219094.tif 000004
【図３】
2008219094.tif 000005
【図４】
2008219094.tif 000006